(57)【要約】  【課題】  ファクシミリ装置がパーソナルコンピュータ等の外部装置とＬＡＮ接続されていてファクシミリサーバ的な機能を有する場合には、外部装置のユーザにとっては通信結果を知るためにはファクシミリ装置そのものを操作して表示させるか、または印刷させる必要があり、そのためにはユーザはファクシミリ装置の設置場所へその都度出向く必要があった。  【解決手段】  ファクシミリ装置１の通信履歴情報を通信履歴テーブル１３Ｔに登録しておき、この通信履歴情報を読み出し、この通信履歴情報を受信した外部のＰＣ２，２…が視覚的に表示することが可能なデータ形式、たとえばＷＷＷサーバソフトウェアによりＨＴＭＬコンテンツに変換して出力する。ＰＣ２，２…では、ＷＷＷブラウザソフトウェアによって通信履歴情報を表示し、またプリントアウトする。【選択図】      図１
2005080214.tif 000002
【特許請求の範囲】
【請求項１】
ファクシミリ通信の履歴に関する通信履歴情報を記憶する記憶手段と、該記憶手段に記憶されている通信履歴情報を読み出して外部へ出力する通信履歴情報出力手段とを備え、  前記通信履歴情報出力手段は、前記記憶手段が記憶している通信履歴情報を受信した外部の装置が表示することが可能なデータ形式に変換して外部へ出力するようにしてあること
を特徴とするファクシミリ装置。
【請求項２】
前記通信履歴情報出力手段は、前記記憶手段が記憶している通信履歴情報を外部の装置においてソフトコピーすること、ハードコピーすること、それぞれの際の表示色を指定すること、フォントを指定することにより、受信した外部の装置が視覚的に表示することが可能なデータ形式に変換して外部へ出力するようにしてあることを特徴とする請求項１に記載のファクシミリ装置。
【請求項３】
前記通信履歴情報出力手段は、前記記憶手段が記憶している通信履歴情報を前記記憶手段に記憶されているフォーマットとは異なるフォーマットのデータ形式に変更して外部へ出力するようにしてあることを特徴とする請求項１に記載のファクシミリ装置。
【請求項４】
前記通信履歴情報出力手段は、前記記憶手段から読み出した通信履歴情報を外部の装置からの指示に応じてデータ形式を変更する加工を行なって外部へ出力するようにしてあることを特徴とする請求項２又は３に記載のファクシミリ装置。
【発明の詳細な説明】
【技術分野】
【０００１】
本発明はファクシミリ装置に関し、より具体的には、ファクシミリ通信の履歴記録（ジャーナル）を外部装置、たとえばパーソナルコンピュータ等へ送信して表示させ、又は印刷させることを可能としたファクシミリ装置に関する。
【背景技術】
【０００２】
近年、ファクシミリ装置を、インターネット、ＬＡＮ（Local Area Network）等のネットワークへ接続することを可能に構成して、通常のファクシミリ通信のみならず、画像データを電子メールの添付ファイルとして送受信するインターネットファクシミリ装置が実用化されている。また、このようなファクシミリ装置は外部装置、たとえばＬＡＮ接続されたパーソナルコンピュータ等とも接続されていてファクシミリサーバ的な機能を有している場合が多い。
【０００３】
ところで、電子メールは、例えば、ＳＭＴＰ（Simple Mail Transfer Protocol)に従って動作するＳＭＴＰサーバ装置及びＰＯＰ（Post Office Protocol）に従って動作するＰＯＰサーバ装置等のメールサーバ装置が介在する通信経路を経由して送信されるため、送信相手の装置へ確実に送信されたか否かを判断することが困難である。このような事情から、本来ファクシミリ通信すべき情報を電子メールで送受信することが可能な装置においては、電子メールを送信する際に、送信先の装置に、当該電子メールを受信した場合にその電子メールを受信したことを示す送達確認メールを、送信元の装置へ返信するように要求する送達確認機能を備えたものがある（例えば、特許文献１参照）。このような装置においては、送信した電子メールに対応する送達確認メールを受信することにより、自身が送信した電子メールが送信先の装置に確実に受信されたことを知ることが可能である。
【特許文献１】特開平１１−２５２３４７号公報
【発明の開示】
【発明が解決しようとする課題】
【０００４】
しかし、ファクシミリ装置がパーソナルコンピュータ等の外部装置とＬＡＮ接続されていてファクシミリサーバ的な機能を有する場合には、それらの外部装置からそのファクシミリ装置を介してインターネットファクシミリ送信を行なうことが可能である。このため、上述したような特許文献１に記載されている送達確認機能を備えたようなインターネットファクシミリ装置であっても、その装置がパーソナルコンピュータ等の外部装置とＬＡＮ接続されていてファクシミリサーバ的な機能を有する場合には、外部装置のユーザにとっては通信結果を知るためにはファクシミリ装置そのものを操作して表示させるか、または印刷させる必要があり、そのためにはユーザはファクシミリ装置の設置場所へその都度出向く必要があった。
【０００５】
更に、前述したような特許文献１に記載されている送達確認機能を備えたようなインターネットファクシミリ装置では、インターネットファクシミリとして送信した電子メールに対する送達確認メールの返信を受信するまでの間に、ファクシミリ通信の履歴記録（ジャーナル）が数段階に変化する。この各段階は当然のことながら、対応する電子メール（インターネットファクシミリ）の送信から送達確認メールの返信を受信するまでの状態変化に対応している。従って、ジャーナル上の個々のインターネットファクシミリの状態をユーザが確認することができれば、個々のインターネットファクシミリのその時点の状態が判明するので、場合によっては、再送信、送信停止等の適宜の処置を採ることが容易に可能になる。しかし、このようなジャーナルは数字，記号、文字の羅列であるため、一般のユーザにとっては容易には理解し難いものであった。
【０００６】
本発明は斯かる事情に鑑みてなされたものであり、ファクシミリ装置によるファクシミリ通信、特にインターネットファクシミリ通信が可能なファクシミリ装置による電子メール形式でのファクシミリ通信の履歴（通信履歴情報、即ちジャーナル）上における個々の通信の履歴の状態変化をユーザが視覚的に容易に理解可能な状態で表示することを可能とし、更にそれを外部装置、たとえばＬＡＮ接続されたパーソナルコンピュータ等においてもユーザが視覚的に確認することを可能としたファクシミリ装置の提供を主たる目的とする。
【０００７】
更に本発明は、ジャーナルのフォーマットを変更することにより、利用明細、請求書等を容易に作成すると共に、フォーマット変更後のジャーナルを外部へ出力することを可能としたファクシミリ装置の提供をも目的とする。
【課題を解決するための手段】
【０００８】
第１発明に係るファクシミリ装置は、ファクシミリ通信の履歴に関する通信履歴情報を記憶する記憶手段と、該記憶手段に記憶されている通信履歴情報を読み出して外部へ出力する通信履歴情報出力手段とを備え、前記通信履歴情報出力手段は、前記記憶手段が記憶している通信履歴情報を受信した外部の装置が表示することが可能なデータ形式に変換して外部へ出力するようにしてあることを特徴とする。
【０００９】
このような第１発明に係るファクシミリ装置では、通信履歴情報出力手段がファクシミリ通信の履歴に関する通信履歴情報（ジャーナル）を読み出して外部へ出力すると共に、通信履歴情報を受信した外部の装置が表示することが可能なデータ形式、たとえばＨＴＭＬコンテンツ等に通信履歴情報を変換して外部へ出力する。
【００１０】
第２発明に係るファクシミリ装置は、第１発明において、前記通信履歴情報出力手段は、前記記憶手段が記憶している通信履歴情報を外部の装置においてソフトコピーすること、ハードコピーすること、それぞれの際の表示色を指定すること、フォントを指定することにより、受信した外部の装置が視覚的に表示することが可能なデータ形式に変換して外部へ出力するようにしてあることを特徴とする。
【００１１】
このような第２発明に係るファクシミリ装置では、第１発明において、記憶手段が記憶している通信履歴情報（ジャーナル）が、外部装置が視覚的に表示することが可能なデータ形式、たとえばパーソナルコンピュータ等の外部の装置においてソフトコピーしたり、ハードコピーしたり、それぞれの際に表示色を指定したり、更にはフォントを指定したりすることが可能なデータ形式に通信履歴情報出力手段により変換されて出力される。
【００１２】
第３発明に係るファクシミリ装置は、第１発明において、前記通信履歴情報出力手段は、前記記憶手段が記憶している通信履歴情報を前記記憶手段に記憶されているフォーマットとは異なるフォーマットのデータ形式に変更して外部へ出力するようにしてあることを特徴とする。
【００１３】
このような第３発明による場合は、第１発明において、記憶手段が記憶している通信履歴情報（ジャーナル）が、記憶手段に記憶されているフォーマットとは異なるフォーマットのデータ形式に通信履歴情報出力手段により変換されて出力される。
【００１４】
第４発明に係るファクシミリ装置は、第２、第３発明において、前記通信履歴情報出力手段は、前記記憶手段から読み出した通信履歴情報を外部の装置からの指示に応じてデータ形式を変更する加工を行なって外部へ出力するようにしてあることを特徴とする。
【００１５】
このような第３発明による場合は、第２、第３発明において、通信履歴情報（ジャーナル）を外部の装置からの指示に応じて通信履歴情報出力手段が加工、具体的にはフォーマットを変更したうえで、外部へ出力する。
【発明の効果】
【００１６】
第１発明によれば、ファクシミリ通信の履歴に関する通信履歴情報（ジャーナル）を読み出して外部へ出力する通信履歴情報出力手段を備えており、この通信履歴情報出力手段が、通信履歴情報を受信した外部の装置が表示することが可能なデータ形式、たとえばＨＴＭＬコンテンツ等に通信履歴情報（ジャーナル）を変換して外部へ出力する。従って、外部の装置の側では特別な装置，ソフトウェアを用意することなしに、パーソナルコンピュータには一般的にインストールされているＷＷＷブラウザソフトウェアを使用してファクシミリ装置の通信履歴のその時点の状態を容易に確認することができる。
【００１７】
第２発明によれば、第１発明において、ファクシミリ通信の履歴に関する通信履歴情報（ジャーナル）が視覚的に表示することが可能なデータ形式、たとえばパーソナルコンピュータ等の外部の装置においてソフトコピーしたり、ハードコピーしたり、それぞれの際に表示色を指定したり、更にはフォントを指定したりすることが可能なデータに変更されて外部の装置に表示されるので、一目で容易に通信履歴の状況が把握できる。
【００１８】
第３発明によれば、第１発明において、記憶手段が記憶している通信履歴情報（ジャーナル）が、記憶手段に記憶されているフォーマットとは異なるフォーマットのデータ形式に変換されるので、任意のフォーマットで通信履歴情報（ジャーナル）を外部の装置に表示させることが可能になる。
【００１９】
第４発明によれば、第２発明、第３発明において、通信履歴情報（ジャーナル）を外部の装置からの指示に応じて通信履歴情報出力手段が加工してフォーマットを変更したうえで外部へ出力するので、たとえば特定の種別の通信履歴のみ、特定の宛先又は送信先の通信履歴のみ、等を選択的に確認することが可能になる。
【発明を実施するための最良の形態】
【００２０】
以下に、本発明に係るファクシミリ装置をその実施の形態を示す図面に基づいて詳述する。図１は本発明に係るファクシミリ装置としてのインターネットファクシミリ装置を含むネットワーク構成例を示す模式図であり、図中１は本発明のファクシミリ装置を示している。
【００２１】
本発明のファクシミリ装置であるインターネットファクシミリ装置１は、通信回線としてのＬＡＮ６を介して複数の外部装置、たとえばパーソナルコンピュータ（以下、ＰＣという）２，２…と接続されている。また、インターネットファクシミリ装置１は、インターネットＩＮを介して外部のインターネットファクシミリ装置３及びＰＣ４とも接続されている。更に、インターネットファクシミリ装置１は、公衆電話交換網ＰＳＴＮを介して外部のファクシミリ装置５とも接続されている。
【００２２】
なお、インターネットＩＮには図示されている他にも多数のインターネットファクシミリ装置及びＰＣが接続されており、公衆電話交換網ＰＳＴＮには図示されている他にも多数のファクシミリ装置が接続されていることは言うまでもない。
【００２３】
従って、インターネットファクシミリ装置１は、ＬＡＮ６を介して複数のＰＣ２，２…とデータ通信が可能であり、またインターネットＩＮを介して他のインターネットファクシミリ装置３及びＰＣ４とインターネットファクシミリ通信が可能であり、更に公衆電話交換網ＰＳＴＮを介して他のファクシミリ装置５と通常のファクシミリ通信が可能である。また、インターネットファクシミリ装置１は複数のＰＣ２，２…に対してはファクシミリサーバとして機能する。
【００２４】
図２は本発明に係るファクシミリ装置（インターネットファクシミリ装置１）の内部構成例を示すブロック図である。インターネットファクシミリ装置１は、ＣＰＵ（Central Processing Unit)又はＭＰＵ（Micro Processor Unit）等で構成された制御部１０を備えている。
【００２５】
制御部１０は、バス１１を介して、ＲＯＭ１２、ＲＡＭ１３、操作部１４、表示部１５、読取部１６、画像メモリ１７、データ変換部１８、記録部１９、ＬＡＮインタフェース２０、モデム２１、ＮＣＵ（Network Control Unit）２２等と接続されていて、このようなハードウェア各部を制御すると共に、ＲＯＭ１２に予め格納されている制御プログラムに従って、種々のソフトウェア的機能を実現する。
【００２６】
ＲＯＭ１２は、インターネットファクシミリ装置１が本発明のファクシミリ装置として動作するために必要な種々の制御プログラムを記憶している。また、ＲＡＭ１３は、ＳＲＡＭ又はフラッシュメモリ等で構成されており、制御部１０による制御プログラムの実行時に発生するデータ等を一時的に記憶する。
【００２７】
モデム２１は、ファクシミリ通信が可能なファックスモデムで構成されており、ＮＣＵ２２とも直接的に接続されている。ＮＣＵ２２は、公衆電話交換網ＰＳＴＮと接続されており、必要に応じてモデム２１を公衆電話交換網ＰＳＴＮと接続することにより、公衆電話交換網ＰＳＴＮを介して外部のファクシミリ装置５との間でのファクシミリ通信を可能としている。
【００２８】
読取部１６は、ＣＣＤ(Charge Coupled Device) 等を利用したスキャナであり、原稿を読み取ることにより画像データを取得し、取得した画像データを画像メモリ１７に記憶させる。なお、画像メモリ１７は、ＤＲＡＭ等により構成されており、モデム２１及びＮＣＵ２２を介したファクシミリ通信にて受信した画像データ、及び読取部１６が読み取った画像データを記憶する。
【００２９】
ここで、インターネットファクシミリ装置１は、読取部１６が読み取った画像データ、またはＬＡＮ接続されているＰＣ２，２…から受信した画像データを添付ファイルとして添付した電子メールの送信が可能に構成されている。具体的には、データ変換部１８は、読取部１６が読み取って画像メモリ１７に記憶してある画像データ、またはＰＣ２，２…からＬＡＮインタフェースを介して受信した画像データを、必要に応じて電子メールで送信可能な画像ファイル、例えば、ＴＩＦＦ（Tag Image File Format)、ＰＤＦ（Portable Document Format）等のフォーマットのファイルに変換し、変換したファイルを添付ファイルとして添付した電子メールを生成する。
【００３０】
このようにして生成された添付ファイルが添付された電子メールは、ＬＡＮインタフェース２０を介して、インターネットＩＮ又はＬＡＮ６経由で、対応するＰＣ２、インターネットファクシミリ装置３又はＰＣ４へ送信される。
【００３１】
ＬＡＮインタフェース２０は、インターネットファクシミリ装置１がインターネットＩＮを介して他のインターネットファクシミリ装置３、ＰＣ４、又はＬＡＮ６を介してＰＣ２，２と通信を行なうためのインタフェースである。
【００３２】
また、インターネットファクシミリ装置１は、ＬＡＮインタフェース２０を介して、インターネットＩＮ経由で他のインターネットファクシミリ装置３、ＰＣ４から、及びＬＡＮ６経由でＰＣ２，２から、上述したような画像データを添付ファイルとした電子メールの受信が可能に構成されている。この場合、データ変換部１８は、上述した変換処理とは逆の変換処理を行なうことにより、受信した電子メールの添付ファイルから画像データを生成し、生成した画像データを画像メモリ１７に記憶させる。
【００３３】
なお、制御部１０は、インターネットＩＮ又はＬＡＮ６に設けてある所定のメールサーバ装置（図示せず）に所定のタイミングでアクセスし、メールサーバ装置に蓄積されているインターネットファクシミリ装置１宛の電子メールを受信する。これによりインターネットファクシミリ装置１は、他の装置からの電子メールを受信することができる。
【００３４】
更に、インターネットファクシミリ装置１は、ＬＡＮインタフェース２０を介して、インターネットＩＮ経由でＰＣ４から、及びＬＡＮ６経由でＰＣ２，２から、ＨＴＴＰ（Hyper Text Transfer Protocol）に準拠した画像データを受信するように構成してあり、受信した画像データも画像メモリ１７に記憶される。
【００３５】
操作部１４は、インターネットファクシミリ装置１を操作するために必要な文字キー、テンキー、短縮ダイヤルキー、ワンタッチダイヤルキー及び各種のファンクションキー等を備えている。
【００３６】
表示部１５は、液晶ディスプレイ（ＬＣＤ）等の表示装置であり、インターネットファクシミリ装置１の動作状態、操作部１４から入力された文字、ユーザに通知すべき情報等の表示を行なう。
【００３７】
記録部１９は、例えば電子写真方式のプリンタ装置であって、画像メモリ１７に記憶してある画像データを、ハードコピーとしてＡ３縦，Ｂ４縦，Ａ４縦，Ｂ５横及びＡ５横等の各サイズの記録紙又はＯＨＰ(Over Head Projector) シート等から最適なサイズのものを選択して記録する。
【００３８】
なお、上述した構成のインターネットファクシミリ装置１においては、ハードディスク等の記憶容量の大きな記憶装置を搭載し、この記憶装置に、ユーザの入力等により設定された各種のデータを記憶させる構成とすることもできる。
【００３９】
ところで、上述のような本発明のインターネットファクシミリ装置１の構成は従来公知のものと基本的には同様であり、単独でインターネットファクシミリ装置として使用することが可能であることは勿論であるが、本発明のインターネットファクシミリ装置１はＬＡＮ接続されているＰＣ２，２…のファクシミリサーバとしても機能する。インターネットファクシミリ装置１がファクシミリサーバとして機能する場合には、前述したように、クライアントであるＰＣ２，２…から受信した画像データがデータ変換部１８により添付ファイルの形式に変換され、電子メールの添付ファイルとして送信されることにより、インターネットファクシミリ通信が行なわれる。
【００４０】
上述した構成のインターネットファクシミリ装置１は、ファクシミリ通信を行なった場合、より具体的には、モデム２１を使用して公衆電話交換網ＰＳＴＮ経由で外部のファクシミリ装置５とファクシミリ通信した場合、及びＬＡＮインタフェース２０を使用してインターネットＩＮ経由でインターネットファクシミリ装置３又はＰＣ４とインターネットファクシミリ通信（電子メール）の送受信を行なった場合、送信したファクシミリ通信に関する送信履歴及び受信したファクシミリ通信に関する受信履歴を生成し、生成した送信履歴及び受信履歴を、ＲＡＭ（記憶手段）１３の適宜の領域に設定してある通信履歴テーブル１３Ｔに通信履歴情報として逐次登録している。図３は通信履歴テーブル１３Ｔの登録内容の一例を示す模式図であり、図３(a) に受信履歴の登録内容の一例を示す模式図を、図３(b) に送信履歴の登録内容の一例を示す模式図をそれぞれ示している。
【００４１】
受信履歴は、図３(a) に示すように、インターネットファクシミリ装置１が外部から受信したファクシミリ通信について、送信者を示す送信者情報，受信日時，及びそれぞれの通信量等の情報を含んでいる。なお、送信者情報とは具体的には、インターネットファクシミリ装置１に対してファクシミリ送信を行なった装置のファクシミリ番号（電話番号）又はメールアドレスであり、通信量とは具体的には公衆電話交換網ＰＳＴＮ経由であった場合には受信した頁数であり、インターネットＩＮ経由であった場合には受信した電子メールに添付されていた添付ファイルの画像データの頁数である。
【００４２】
送信履歴は、図３(b) に示すように、インターネットファクシミリ装置１が外部へ送信したファクシミリ通信について、宛先を示す宛先情報，送信日時、及びそれぞれの通信量，及び後述する送達確認情報等を含んでいる。なお、宛先情報とは具体的には、インターネットファクシミリ装置１からファクシミリ送信を行なった装置のファクシミリ番号（電話番号）又はメールアドレスであり、通信量とは具体的には公衆電話交換網ＰＳＴＮ経由であった場合には送信した頁数でり、インターネットＩＮ経由であった場合には送信した電子メールに添付されていた添付ファイルの画像データの頁数である。
【００４３】
また、送達確認情報とは、後述する送達確認メールの受信状況を示す送達確認、及び送達確認メールの受信日時を示す確認日時等の情報である。なお、この送達確認メールの受信日時は、当該送達確認メールの受信がまだの電子メールについては、制御部１０が、当該送達確認メールの受信が完了したか否かの判断を行なった日時を記憶する。
【００４４】
なお、上述のような通信履歴情報（受信履歴及び送信履歴）は、それぞれ独立してＲＡＭ１３に記憶させておく構成であってもよく、受信処理又は送信処理を示す情報を付加することにより受信履歴及び送信履歴を混合させてＲＡＭ１３に記憶しておく構成であってもよい。また、上述した構成のインターネットファクシミリ装置１では、制御部１０が、読取部１６が読み取った画像データを添付ファイルとして電子メール（インターネットファクシミリ）を送信する際に、当該電子メールの送信先の装置に対して、この電子メールの送達が完了した（送信先の装置にとっては受信が完了した）旨を通知してもらうための送達確認メールの送信要求を付加する。
【００４５】
従って、インターネットファクシミリ装置１が、たとえばＬＡＮ６経由でＰＣ２から送信依頼を受けた画像データを添付ファイル化して更に送達確認メールの送信要求を付加した電子メールを、たとえばインターネットＩＮ経由でインターネットファクシミリ装置３又はＰＣ４へ送信した場合、送信先のインターネットファクシミリ装置３又はＰＣ４は電子メールを受信するとその旨を示す送達確認メールをインターネットファクシミリ装置１宛に返信する。また、インターネットファクシミリ装置１はそのような送達確認メールを受信した場合、自身の表示部１５にそれを表示する等により電子メールの送信処理が完了したことを報知することができる。但し、インターネットファクシミリ装置１にＬＡＮ接続されているＰＣ２，２…のユーザにとっては、この報知を確認するためにはインターネットファクシミリ装置１の設置場所まで出向く必要がある。
【００４６】
なお、送達確認メールを受信した場合、制御部１０は、ＲＡＭ１３の通信履歴テーブル１３Ｔにおける送信履歴の対応する送達確認に「受信済み」を追加し、この送達確認メールの受信日時を確認日時に追加することにより、通信履歴テーブル１３Ｔを更新する。
【００４７】
更に、インターネットファクシミリ装置１はモデム２１を使用して公衆電話交換網ＰＳＴＮ経由で通常のファクシミリ通信を行なった場合の通信履歴も通信履歴テーブル１３Ｔに登録する。具体的には、インターネットファクシミリ装置１がモデム２１を使用して通常のファクシミリ送信を行なった場合には、その宛先情報（電話番号），送信日時、それぞれの通信量，及び通信の状態（正常送信，異常送信，再送信待ち等）が通信履歴テーブル１３Ｔに登録される。また、インターネットファクシミリ装置１がモデム２１を使用して通常のファクシミリ受信を行なった場合には、その送信者情報（電話番号），受信日時、それぞれの通信量，及び通信の状態（正常受信，異常受信，再受信待ち等）が通信履歴テーブル１３Ｔに登録される。
【００４８】
ところで、本発明のファクシミリ装置であるインターネットファクシミリ装置１は、上述のような通信履歴テーブル１３Ｔに登録されている通信履歴情報をクライアントであるＰＣ２，２…に対して送信することができる。具体的には、インターネットファクシミリ装置１はＲＯＭ１２にＷＷＷサーバソフトウェアＷＳがインストールされており、また各ＰＣ２，２…それぞれには図示しないがＷＷＷブラウザソフトウェアがインストールされている。従って、インターネットファクシミリ装置１はＷＷＷサーバとして、各ＰＣ２，２…はＷＷＷクライアントとして機能する。
【００４９】
なお、図２に示す例では、インターネットファクシミリ装置１のＲＯＭ１２にＷＷＷサーバソフトウェアＷＳがインストールされているが、たとえばインターネットファクシミリ装置１がハードディスクを備えているような場合にはＷＷＷサーバソフトウェアＷＳをハードディスクにインストールしておいてもよいことはいうまでもないし、通信履歴テーブルをもハードディスクの適宜の領域に設定しておいてもよいことはいうまでもない。
【００５０】
本発明のインターネットファクシミリ装置１は上述のようなＷＷＷサーバとしての機能を利用して、通信履歴テーブル１３Ｔの登録内容をＨＴＭＬコンテンツとしてＷＷＷブラウザによる閲覧を可能にしている。一方、各ＰＣ２，２…はＷＷＷブラウザソフトウェアを起動させておくことにより、ＷＷＷサーバとしてのインターネットファクシミリ装置１から通信履歴テーブル１３Ｔの登録内容をＨＴＭＬコンテンツ化した通信履歴情報を受信してそれぞれの表示装置に表示し、またそれぞれが利用可能なプリンタからプリントアウトさせることが可能である。
【００５１】
以下に、上述した構成のインターネットファクシミリ装置１により、外部装置であるＰＣ２，２…において通信履歴情報を表示、又はプリントアウトさせる場合の処理手順について、図４及び図５のフローチャートを参照して説明する。なお、これらの処理は、ＲＯＭ１２に予めインストールされているコンピュータプログラムに従って制御部１０が実行する
インターネットファクシミリ装置１にＬＡＮ接続されているＰＣ２，２…のユーザが所定の操作によりＷＷＷブラウザソフトウェアを起動し、インターネットファクシミリ装置１にアクセスすると（ステップＳ１１でＹＥＳ）、制御部１０はアクセスしてきたＰＣ２へ初期画面のＨＴＭＬコンテンツを送信する（ステップＳ１２）。
【００５２】
図６はステップＳ１２においてインターネットファクシミリ装置１から送信される初期画面のＨＴＭＬコンテンツをＰＣ２側で表示した場合の一例を示す模式図である。この例では、初期画面には「希望する処理を選択して下さい。」というメッセージの下に、「ファクシミリ送信」、「ファクシミリ受信」、「通信履歴リスト表示」、「通信履歴リスト印刷」の４項目が表示されている。ＰＣ２のユーザが「通信履歴リスト表示」以外の処理を選択した場合（ステップＳ１３でＮＯ）、制御部１０は他の処理を実行する（ステップＳ１４）。たとえば、ＰＣ２のユーザが「ファクシミリ送信」をマウスのクリック等により選択した場合には、ＰＣ２からファクシミリ送信するための案内画面が順次的に表示される。またＰＣ２のユーザが「ファクシミリ受信」を選択した場合には、制御部１０はそのＰＣ２宛のファクシミリ通信を受信していれば、そのデータをそのＰＣ２へ送信する。なお、「常時自動受信」が選択された場合には、インターネットファクシミリ装置１が受信したそのＰＣ２宛のファクシミリ通信はそのＰＣ２の電源がＯＮである限り、直ちに送信されるように設定される。
【００５３】
一方、ＰＣ２のユーザが「通信履歴リスト表示」を選択した場合（ステップＳ１３でＹＥＳ）、制御部１０は通信履歴テーブル１３Ｔに登録されている通信履歴情報を読み出してＨＴＭＬコンテンツ化し、アクセスしているＰＣ２へ送信する（ステップＳ１５）。なお、ＰＣ２のユーザが「通信履歴リスト印刷」を選択した場合は、制御部１０は通信履歴テーブル１３Ｔに登録されている通信履歴情報を読み出して印刷データに変換し、アクセスしているＰＣ２へ送信する。
【００５４】
図７はステップ１５においてインターネットファクシミリ装置１から送信される「通信履歴リスト」のＨＴＭＬコンテンツをＰＣ２側で表示した場合の一例を示す模式図である。この例では「送信履歴リスト」のみが表示されているが、「受信履歴リストを表示」を選択することによりそれまでの「送信履歴リスト」の表示に代えて「受信履歴リスト」が表示される。勿論、両方のリストを同時に表示してもよいし、「通信履歴リスト」として両者を混合して表示してもよい。なお、この図７に示されている状態をそのまま印刷することができるようにしてもよいことはいうまでもない。
【００５５】
また、図７に示されている「通信履歴リスト」の表示例では、「表示状態（視覚効果）設定」及び「表示種別選択」のいずれかをＰＣ２のユーザが指定することが可能である。たとえば、ＰＣ２のユーザが「表示状態（視覚効果）設定」を指定した場合（ステップＳ１６でＹＥＳ）、制御部１０は表示状態設定用のＨＴＭＬコンテンツをＰＣ２へ送信する（ステップＳ１７）。
【００５６】
図８はステップＳ１７においてインターネットファクシミリ装置１から送信される表示状態設定用のＨＴＭＬコンテンツをＰＣ２側で表示した場合の一例を示す模式図である。この例では、「基本設定」は、「表示形式」としては「一覧表示（リスト表示）」が、「表示項目」としては「送信先（宛先）」が、「表示件数」としては「１０件」がそれぞれ設定されている。また、「結果」は、「結果種別」としては「受領確認済み」が、「背景色」としては「赤」が、「文字色」としては「黒」がそれぞれ設定されている。更に、「通信種別」は、「通信種別」としては「特殊送信」が、「背景色」としては「無色」が、「文字色」としては「黒」がそれぞれ設定されている。
【００５７】
この図８に示す表示状態（視覚効果）の設定で先の図７に示した「送信履歴リスト」をＨＴＭＬコンテンツ化してインターネットファクシミリ装置１から送信し（ステップＳ１８）、ＰＣ２側で表示させた場合の一例を図９の模式図に示す。「視覚効果」が「ＯＮ」に設定されているため、「表示項目」として設定されている「送信先（宛先）」を先頭として個々の通信レコードが送信時間の順に「表示件数」として設定されている「１０件」分が表示されている。また、「結果」の欄では「受領確認済み」が「背景色」を「赤」、「文字色」を「黒」として設定通りに表示されており、他の「結果」に関しては通常（「背景色」が「無色」、「文字色」が「黒」）の状態で表示されている。更に、「備考」の欄では「通信種別」の内の「特殊送信」が「背景色」を「無色」、「文字色」を「黒」として設定通りに表示されており、他の「通信種別」は表示されていない。
【００５８】
なお、上述の図９に示す例では、当該部分の表示色及び文字色を他の部分とは異ならせているが、他にたとえば当該部分を点滅させる、当該部分に特定のマーク（アイコン）を付加表示する、等の表示を行なってもよい。
【００５９】
一方、表示状態の指定が行なわれず、表示種別の指定が行なわれた場合（ステップＳ１６でＮＯ，Ｓ１９でＹＥＳ）、具体的には図７に示されている表示画面の「表示種別選択」がたとえばマウス等でクリックされると、制御部１０は「表示種別選択」の画面のＨＴＭＬコンテンツを送信する（ステップＳ２０）。図１０はこのインターネットファクシミリ装置１から送信された「表示種別選択」の画面のＨＴＭＬコンテンツをＰＣ２，２…で表示した場合の模式図である。ここに示す例では、「送達確認送信」、「有料通信」等の種別が選択可能であることが示されている。
【００６０】
たとえば、図１０の画面においてＰＣ２のユーザが「送達確認送信」を選択すると（ステップＳ１９でＹＥＳ）、制御部１０は通信履歴テーブル１３Ｔに登録されている通信履歴情報の内の送信履歴情報から送達確認が指定されている通信レコードを選択し、ＨＴＭＬコンテンツ化してアクセスしているＰＣ２へ送信する（ステップＳ２１）。図１１は、このようにして送達確認が指定されている送信情報を選択してインターネットファクシミリ装置１から送信される表示状態設定用のＨＴＭＬコンテンツをＰＣ２側で表示した場合の一例を示す模式図である。
【００６１】
この図１１に示す例では、「送達確認送信」された個々の通信の宛先、日付、その時点での状態が表示されている。具体的には、番号１、２、５の通信はその時点で既に「受領確認済み」であり、番号３の通信はその時点では「エラー（再送待ち）」であり、番号４、６の通信はその時点では「受領確認待ち」である。ここで、「受領確認待ち」はインターネットファクシミリ装置１から送信した時刻と現在時刻との関係で、未だ送達確認メールが返送されてきていない状態、または何らかのトラブルで送信先で受信されていない場合等が考えられる。しかしたとえば番号３の通信のようにその時点で「エラー（再送待ち）」の状態は、インターネットファクシミリ装置１から送信後に所定時間が経過しても送達確認メールが返送されてきていないことを示している。この場合は、所定時刻、または送達確認メールが返送されてきていないことが確認された時点から所定時間経過後に再送信が行なわれる。
【００６２】
ところで、前述の図９及び図１１において個々のレコードに選択ボタンが表示されている。図９又は図１１おいて個々のレコードに表示されている選択ボタンをＰＣ２のユーザが指定すると、選択された個々のレコードの詳細な通信履歴を表示させることが可能である。具体的には、図９又は図１１において個々のレコードに表示されている選択ボタンをＰＣ２のユーザが指定した場合（ステップＳ２２でＹＥＳ、ステップＳ２３でＮＯ）、選択されたレコードの通信履歴の全てを制御部１０が通信履歴テーブル１３Ｔから読み出してＨＴＭＬコンテンツ化し、アクセスしているＰＣ２へ送信する（ステップＳ２４）。なお、ステップＳ２３については後述する。
【００６３】
図１２は一例として図１１に示されているリストの内の番号３の通信履歴の全てがＰＣ２において表示された状態を示す模式図である。図１１に示されている番号３の通信は「エラー（再送待ち）」状態であるが、図１２に示されているように、過去２回の送達確認メールの受領期限を過ぎても送達確認メールを受領できておらず、「現在の状態」の欄にアスターリスク（＊）が表示されている部分が現在の状態（２回目の再送予定日時を待機している状態）を示している。
【００６４】
ところで、前述の図１１に示されているような特定の種別のレコードを表示する場合には、インターネットファクシミリ装置１側でデフォルトのフォーマットを予め用意しているが、ＰＣ２側からフォーマットを指定することも可能である。なおこの処理は、ステップＳ２３において選択可能である。以下、このステップＳ２３において選択可能なフォーマットの変更処理について説明する。
【００６５】
ところで、図１１に示すような特定の種別のレコードを表示する画面において、送達確認メールが受領確認済みのレコードのみを選択した場合、図１３の模式図に示すように、３件のレコード（図９に示す番号２、６、９のレコード）のみが表示される（ステップＳ２２）。そして、このようなステップＳ２２において表示される図１３の模式図に示す画面に表示される「フォーマット変更」のボタンをユーザが指定すると（ステップＳ２３でＹＥＳ）、図１４の模式図に示すような「フォーマット設定画面」を制御部１０がＰＣ２へ送信する（ステップＳ２５）。
【００６６】
ＰＣ２では、ユーザがこの「フォーマット設定画面」を利用して各設定項目、たとえば「列」、「行」を設定し、更にそれぞれにタイトルを付与して「設定登録」のボタンを操作することにより、設定項目が設定された「フォーマット設定画面」が送信されるので、インターネットファクシミリ装置１がそれを受信する（ステップＳ２６でＹＥＳ）。これにより、制御部１０は受信した「フォーマット設定画面」の各設定項目の設定に従ってフォーマットを変更し（ステップＳ２７）、たとえば図１５の模式図の下半部に示すような、「計」及び「請求額」というタイトルが付与された行と、「○通信」及び「○円」というタイトルが付与された列とを付加した変更後のフォーマットのＨＴＭＬコンテンツをＰＣ２へ送信する（ステップＳ２８）。その後、ステップＳ１５へ処理を戻す。
【００６７】
従って、ＰＣ２の表示画面上で、この「○」の部分に適宜の数値等を入力した上でプリントアウトすることにより、請求書等を作成することも可能になる。
【００６８】
以上のように、本発明のファクシミリ装置であるインターネットファクシミリ装置１は、ＬＡＮ接続されているＰＣ２，２…から通信履歴を確認することが可能になる。
【図面の簡単な説明】
【００６９】
【図１】本発明に係るファクシミリ装置としてのインターネットファクシミリ装置を含むネットワーク構成例を示す模式図である。
【図２】本発明に係るファクシミリ装置の内部構成例を示すブロック図である。
【図３】通信履歴テーブルの登録内容の一例を示す模式図であり、(a) は受信履歴の登録内容の一例を、(b) は送信履歴の登録内容の一例をそれぞれ示す。
【図４】本発明のファクシミリ装置による、外部装置において通信履歴情報を表示、又はプリントアウトさせる場合の処理手順を示すフローチャートである。
【図５】本発明のファクシミリ装置による、外部装置において通信履歴情報を表示、又はプリントアウトさせる場合の処理手順を示すフローチャートである。
【図６】本発明のファクシミリ装置から送信される情報を外部装置で表示した場合の一例を示す模式図である。
【図７】本発明のファクシミリ装置から送信される情報を外部装置で表示した場合の一例を示す模式図である。
【図８】本発明のファクシミリ装置から送信される情報を外部装置で表示した場合の一例を示す模式図である。
【図９】本発明のファクシミリ装置から送信される情報を外部装置で表示した場合の一例を示す模式図である。
【図１０】本発明のファクシミリ装置から送信される情報を外部装置で表示した場合の一例を示す模式図である。
【図１１】本発明のファクシミリ装置から送信される情報を外部装置で表示した場合の一例を示す模式図である。
【図１２】本発明のファクシミリ装置から送信される情報を外部装置で表示した場合の一例を示す模式図である。
【図１３】本発明のファクシミリ装置から送信される情報を外部装置で表示した場合の一例を示す模式図である。
【図１４】本発明のファクシミリ装置から送信される「フォーマット設定画面」を外部装置で表示した場合の一例を示す模式図である。
【図１５】本発明のファクシミリ装置から送信される情報を外部装置で表示した場合の一例を示す模式図である。
【符号の説明】
【００７０】
１  インターネットファクシミリ装置
２  パーソナルコンピュータ（ＰＣ）
３  インターネットファクシミリ装置
４  パーソナルコンピュータ（ＰＣ）
５  ファクシミリ装置
６  ＬＡＮ
１３Ｔ  通信履歴テーブル
ＷＳ  ＷＷＷサーバソフトウェア
ＩＮ  インターネット
【図１】
2005080214.tif 000003
【図２】
2005080214.tif 000004
【図３】
2005080214.tif 000005
【図４】
2005080214.tif 000006
【図５】
2005080214.tif 000007
【図６】
2005080214.tif 000008
【図７】
2005080214.tif 000009
【図８】
2005080214.tif 000010
【図９】
2005080214.tif 000011
【図１０】
2005080214.tif 000012
【図１１】
2005080214.tif 000013
【図１２】
2005080214.tif 000014
【図１３】
2005080214.tif 000015
【図１４】
2005080214.tif 000016
【図１５】
2005080214.tif 000017